(57)【要約】      （修正有）【課題】コインを弾性力によってはじき飛ばす際の弾性力のコインの直径による影響が少ないと共にコインの払出方向を簡単に変更可能なコイン払出装置を提供する。【解決手段】回転ディスクによってコインを一つずつ案内通路６２に送り出し、前記案内通路により前記送り出されたコインを一列に整列して案内し、前記案内通路の出口において前記案内通路の中心線ＣＬ，ＬＣ，ＲＣに対し偏倚して配置し、かつ、前記案内通路に近づくように弾性体１３６により付勢された払出体１０８によってコインを区分けして払い出すコイン送り出し装置において、前記払出体を前記中心線に対し鋭角をなし、かつ、前記案内通路から離れるほど前記中心軸線から離れる軸線１０６，１１２に沿って移動可能に設けたことを特徴とするコイン払出装置である。【選択図】図１
2005190213.tif 000002
【特許請求の範囲】
【請求項１】
コイン送り出し装置(10)の回転ディスク(18)によってコイン(14)を一つずつ案内通路(62)に送り出し、前記案内通路(62)により前記送り出されたコイン(14)を一列に整列して案内し、前記案内通路(62)の出口(63)において前記案内通路(62)の中心線(CL)に対し偏倚して配置し、かつ、前記案内通路(62)に近づくように弾性体(136、142)により付勢された払出体(108)によってコイン(14)を区分けして払い出すコイン送り出し装置において、前記払出体(108)を前記中心線(CL)に対し鋭角をなし、かつ、前記案内通路(62)から離れるほど前記中心軸線(CL)から離れる軸線(106、112)に沿って移動可能に設けたことを特徴とするコイン払出装置。
【請求項２】
前記払出体(108)が、支軸(114)に回転自在に支持されたローラ(118)であり、前記支軸(114)が前記軸線(106、112)に沿って形成された長孔(102、104)をスライド可能に貫通する請求項１のコイン払出装置。
【請求項３】
前記長孔(102、104)の前記案内通路(62)側の端部(110)が、前記中心線(CL)と前記案内通路(62)の画定部材(58、60)との間の中心線(LC、RC)上に位置している請求項２のコイン払出装置。
【請求項４】
前記ローラ(118)が、樹脂製である請求項２のコイン払出装置。
【請求項５】
前記ローラ(118)は、有底円筒状であり、底部から先端に向かって肉薄に形成されている請求項４のコイン払出装置。
【請求項６】
前記ローラ(118)の下流のコイン通路(166、170)にコイン(14)を検知するためのセンサ(150)を配置した請求項２のコイン払出装置。
【請求項７】
前記中心線(RC)は、最大径コインに相対する案内通路(62)の幅の中心線であり、前記長孔(104)の案内通路(62)側端部(115)が前記中心線(CL)とガイド(58)とのほぼ中心線(RC)上に位置し、前記長孔(104)の案内通路(62)側端部(115)が前記中心線(CL)とガイド(58)とのほぼ中心線(RC)上に位置する請求項３のコイン払出装置。
【請求項８】
回転ディスク(18)によってコイン(14)を一つずつ少なくともベース(54)によって画定される案内通路(62)に送り出し、前記案内通路(62)により前記送り出されたコイン(14)を一列に整列して前記ベース(54)に沿って案内し、前記案内通路(62)の出口(63)において前記案内通路(62)の中心線(CL)に対し偏倚して配置し、かつ、前記案内通路(62)に近づくように付勢された払出体(108)によってコイン(14)を区分けして送り出すコイン送り出し装置において、
前記ベース(54)に前記中心線(CL)に対し鋭角をなす第１長孔(102)と前記第１長孔(102)に対し前記中心線(CL)をはさんで対称をなすよう形成した第２長孔(104)、
前記第１長孔(102)と第２長孔(104)とを前記案内通路(62)から遠い端部で連通してチャンネル形溝(146)を形成し、
前記チャンネル形溝(146)を移動可能に貫通し、ローラ(118)を回転自在に支持する支軸(114)、
前記支軸(114)を前記案内通路(62)に近づくよう付勢する弾性体(136、142)
とより構成されるコイン払出装置。
【発明の詳細な説明】
【技術分野】
【０００１】
本発明は、周面が接触した状態で一列に整列させてコインを案内した後、コインを一つずつ払い出すコイン送り出し装置のコイン払出装置に関する。
特に、コインを払い出す場合、弾性力によってはじき飛ばす際の弾性力のコインの直径による影響が少ないコイン払出装置に関する。
さらに詳しくは、コインを弾性力によってはじき飛ばす際の弾性力のコインの直径による影響が少ないと共にコインの払出方向を簡単に変更可能なコイン払出装置に関する。
なお、本明細書で使用する「コイン」は、通貨であるコイン、ゲーム機のトークン及びそれらと類似のものを包含する。
【背景技術】
【０００２】
従来技術として、回転ディスクにより一個ずつ送り出したコインをエスカレータ(案内通路)により垂直上方に案内した後、その案内通路の出口から払い出す装置が知られている。
この装置は、回転ディスク(硬貨送出手段)によってコイン(硬貨)を一つずつ少なくともベース(通路板)によって画定される案内通路(硬貨通路)に送り出し、前記案内通路により前記送り出されたコインを一列に整列して前記ベースに沿って案内し、前記案内通路の出口(第１の硬貨出口、第２の硬貨出口)において前記案内通路の中心線に対し偏倚して配置し、かつ、前記案内通路に近づくようにスプリングで付勢された払出体(硬貨案内手段)によってコインを区分けするとともに勢いをつけて払い出す(例えば、特許文献１)。
【０００３】
【特許文献１】特開平8-293051号(図1―9、第5―6頁)
【発明の開示】
【発明が解決しようとする課題】
【０００４】
従来技術において、払出体は、案内通路の延長上において、案内通路の中心線と平行に移動可能であって、かつ、案内通路に近づくように弾性的に付勢されている。
このため、コインを払い出す度に払出体が所定量移動されてスプリング力が大きくなった後、そのスプリング力により勢いを付けてコインを払い出し、その後払出体はストッパに当接して停止される。
一方、コインの払い出しは百万個以上に達する、換言すれば、払出体はストッパに百万回以上衝突する。
従来技術において、払出体は案内通路の中心線と平行に移動するため移動量が大きい、換言すれば、スプリング力が大きいため、払出体のストッパが度重なる打撃によって変形し払出体の運動に悪影響を与えるという問題がある。
また、払出体とその案内部との間の抵抗が大きく、払出体のスムーズな移動による毎回均一なコイン払出を行うことができない。
【０００５】
この問題を図8から図10を参照して詳細に説明する。
図8において、コイン送り出し装置10は、フレーム12と、フレーム12に固定され、かつ、コイン14を貯留する筒形のボウル16と、ボウル16の底部において傾斜配置されたディスク14の送り出し用の第１回転ディスク18、第２回転ディスク20及びコイン案内装置22を有する。
【０００６】
図9に示すように、回転ディスク18の通孔24に落下したコインは、ベース26に支持されつつ回転ディスク18下面の押出突条(図示せず)によって押されて回動され、コイン14の移動経路に突出するガイド28によって回転ディスク18の周方向へ案内される。
【０００７】
第２回転ディスク20は、等間隔に５個の突起30を有する星形をしており、第１回転ディスク18と同期して逆方向に回転する。
第２回転ディスク20の機能は、第１回転ディスク18から前記のように一個ずつ送り出されるコイン14をその突起30により受け取って、弧状の案内面32に沿わせて一個ずつ移送する。
なお、第1回転ディスク18と第２回転ディスク20の構造及び機能は、前記特許文献1に開示のものと同様である。
【０００８】
第２回転ディスク20の次位にゲート装置34が配置されている。
コインが通過する場合、ローラ40はコインによって案内溝36に沿って移動され、コインの最大直径部が通過した後、スプリング44によって案内面32に近づくよう移動され、前記位置に静止する。
ゲート装置34を通過したコイン14は、コイン案内装置22の湾曲部案内部48、垂直上方へ延びる直線部案内部50によって案内され、先端の払出部52において払い出される。
【０００９】
次に図10を参照して払出部52を説明する。
払出部52は、案内装置22の先端部に配置されている。
案内装置22はベース54、ベース54に固定され、かつ、コイン14の厚みよりも僅かに厚く、コイン14の直径よりも僅かに大きい間隔を有する左右一対のスペーサ56、58、およびスペーサ56、58のベース54の反対側に接触して配置したガイド60(一点鎖線示)により断面矩形の案内通路62を構成している。
コイン14は、この案内通路62によって一列に案内され、払出部52に達する。
払出部52は、案内長孔66、68、払出体70及び払出体70の移動を検知するカウントセンサ(図示せず)が配置される。
【００１０】
案内長孔66は、案内通路62の延長上であって、案内通路62の中心線CLに対し偏倚し、かつ、中心線CLとスペーサ56の案内縁74との間の中央に位置する左中心線LCに沿って形成され、第２案内長孔68は中心線CLをはさんで左中心線LCと対称に位置する右中心線RCに沿って形成されている。
それら長孔は連通溝70によって連通されている。
払出体70は、案内長孔66または68においてスライド可能な支軸76に回転自在なローラ78によって構成されている。
支軸76は、図示しない付勢手段により案内通路62に近づくよう付勢されている。
【００１１】
この従来の装置において、コイン14が払い出される場合、コイン14はローラ78を押すので、ローラ78は付勢手段に反して移動される。
このとき、ローラ78は案内通路62の中心線CLからオフセットしているので、コイン14から受ける力F１の分力F2によって支軸76は第１案内長孔66の側面に押し付けられつつ移動する。
この押し付け力F2は、一点鎖線で示すようにローラ78が案内通路62から離れるほど大きくなる。
そしてスペーサ58のエッジ部と、ローラ78とコイン14の接点とを結ぶ線Lがコイン14の中心CCを越えると、付勢手段の付勢力によってコイン14が弾き出される。
【００１２】
ローラ78、したがって支軸76は第１案内長孔66の端部に衝突して係止された後、引き続いて移動されてくるコイン14の移動に抵抗を与え、コイン14の自由な飛び出しを防止する。
このコイン払出装置がゲーム機に使用される場合、コイン14は、連続的に所定数払い出され、払出数が百万個を軽く超える。
このため、第１案内長孔66端部に対する支軸76の度重なる打撃によって、第１長孔66の端部がへたり、側方に突出し、払出体70のスムーズな移動を妨害し、コイン14の払出を適正に行えないことがある。
【００１３】
この「へたり」を防止するため、案内長孔66の端部に高硬度の別部材を配置してもよいが、コスト増になり、安易に採用できない。
また、前記支軸76と第１長孔66側壁との間の大きな摺動抵抗によっても払出体70のスムーズな移動を阻害し、払出を適正に行えないことがある。
なお、これらの問題は、払出体70を第２案内長孔68に配置してコイン14を図10において左側へ払い出す場合も同様である。
【００１４】
さらに、コイン送り出し装置は、払い出すコインの直径が変更される。
コインの直径の変更によって、第２回転ディスク20から払出体70までの経路長に対するコイン14の数が変わる。
これにより、払出体70の位置がセンサによって継続して検知されないようにするため、払出体70の位置を変更する必要がある。
具体的には、直線部案内装置50の長さを変更しなければならず、調整が面倒であるという問題がある。
【課題を解決するための手段】
【００１５】
本発明の第１の目的は、払出体に対する付勢力を可及的に小さくすることである。
本発明の第２の目的は、払出体に対する付勢力の変動を少なくすることである。
換言すれば、払出体によるコインの払出力を可及的に平均化することにより、コインの払出初速を均一化することを目的とする。
本発明の第３の目的は、払出体の移動をスムースにし、コイン払出装置の省エネルギーを図ることである。
本発明の第４の目的は、コインの直径が変更された場合、コイン案内装置の長さ調整を不要にすることである。
【００１６】
この目的を達成するため、請求項１の発明は以下のように構成される。
回転ディスクによってコインを一つずつ案内通路に送り出し、前記案内通路により前記送り出されたコインを一列に整列して案内し、前記案内通路の出口において前記案内通路の中心線に対し偏倚して配置し、かつ、前記案内通路に近づくようにスプリングにより付勢された払出体によってコインを区分けして払い出すコイン送り出し装置において、前記払出体を前記中心線に対し鋭角をなし、かつ、前記案内通路から離れるほど前記中心軸線から離れる軸線に沿って移動可能に設けたことを特徴とするコイン払出装置である。
【発明の効果】
【００１７】
この構成において、コインは回転ディスクによって一個ずつ区分けして案内装置へ送り出される。
案内装置において、コインは周面を接して一列に整列され、後位のコインが前位のコインを押すことによって上方へ案内されて後、払出体によって弾き出される。
この過程において、送り出されたコインによって、払出体は案内通路から離れるほど前記中心軸線から離れる軸線に沿って移動する。
このため、スプリングの支点から払出体までの距離は、従来のように中心軸線に沿って移動する場合に比し、変動が極めて小さい。
したがって、スプリング力の変化が小さいので、総合的にみれば払出体に対する付勢力は小さい範囲で設定できる。
よって、付勢力が小さい範囲で設定できるので、払出体が同一部にストップされてもその部位の「へたり」を生ぜす、払出体の移動を常にスムースに行うことができる。
結果として、コインのスムーズな払出を行なうことができる。
また、払出体の案内部への分力は中心軸線と平行に移動する場合に比して小さく、これによっても払出体の移動はスムースである。
【００１８】
請求項２の発明は、請求項１において、前記払出体が、支軸に回転自在に支持されたローラであり、前記支軸が前記軸線に沿って形成された長孔をスライド可能に貫通することを特徴とする。
この構成において、払出体が長孔内を移動する支軸に回転自在に支持されたローラであるから、コインとの関係では転がり接触になる。
したがって、コインに対する移動抵抗を可及的に少なく出来るから、コインの払出をスムーズにできる利点がある。
【００１９】
請求項３の発明は、請求項２において、前記長孔の前記案内通路側の端部が、前記中心線と前記案内通路画定部材との中心線上に位置している。
この構成において、長孔の案内通路側端部が案内通路の中心線と案内通路画定部材との中心線上に位置する。
換言すれば、払出体のローラが案内通路の中心線と案内通路画定部材との間のの中心線上に位置する。
これにより、コインの直径が変更されたてもコインの払出方向の変化が少なく、一定の方向に払い出すことが出来る。
【００２０】
請求項４の発明は、請求項２において、前記ローラが樹脂製であることを特徴とする。
この構成において、ローラが樹脂であるから、軽量である。
したがって、払出体の慣性質量が小さいので、支軸がストッパに衝突する際の衝撃が小さくなり、硬度の高い特別な材料を使わずとも度重なる打撃による「へたり」を防止できる利点がある。
【００２１】
請求項５の発明は、請求項４において、前記ローラは、有底円筒状であり、底部から先端に向かって肉薄に形成されていることを特徴とする。
この構成おいて、ローラは有底部の強度が大きく、円筒の先端側ほど肉薄であるから強度が小さい。
換言すれば、ローラは円筒先端側ほど外力を受けて変形しやすく、コインにより押されている場合、コインとの関係では先端に向かって先すぼまりのテーパになる。
したがって、コインはローラのテーパによって一方向へ倒される力を受ける。    
その倒される方向をベースプレート側にした場合、自然にベースプレートに押されつつ移動するので、コインの移動姿勢が安定し、安定した払出を行うことができる。
【００２２】
請求項６の発明は、請求項２において、前記ローラの下流のコイン通路にコインを検知するためのセンサを配置したしたものである。
この構成によれば、コインがローラによって払い出された後、センサによって検知される。
このセンサの出力は、払い出したコインのカウントに用いる。
したがって、センサはコイン案内通路内のコイン位置によって影響を受けないので、カウントミスを生じない利点がある。
【００２３】
請求項７の発明は、請求項６において、前記中心線は最大径コインに相対する案内通路の幅の中心線であり、前記長孔の案内通路側端部が前記中心線とガイドとのほぼ中心線上に位置し、前記第２長孔の案内通路側端部が前記中心線とガイドとのほぼ中心線上に位置することを特徴とする。
この構成によれば、同一の装置を用い、コインの直径に合わせて案内通路の幅を調整した場合において、長孔に払出体を配置した場合、直径が小さくなるにしたがって払出体の押し上げ方向が上方になり、長孔側壁への押し付け分力は小さくなり、結果として払出体の移動がスムースになる。
逆に最小径コインに合わせた場合、コイン直径が大きくなるにしたがって、側壁への分力が大きくなる。
これにより、払出体の移動抵抗が大になってスムーズな払出が出来なくなる。
しかし、本発明は、移動抵抗が小さくなるので、移動がスムーズであるという利点がある。
さらに、第２長孔に振分体を配置した場合、前記と同様である。
【００２４】
請求項８の発明は、回転ディスクによってコインを一つずつ少なくともベースによって画定される案内通路に送り出し、前記案内通路により前記送り出されたコインを一列に整列して前記ベースに沿って案内し、前記案内通路の出口において前記案内通路の中心線に対し偏倚して配置し、かつ、前記案内通路に近づくように付勢された払出体によってコインを区分けして払い出すコイン送り出し装置において、前記ベースに前記中心線に対し鋭角をなす第１長孔と前記第１長孔に対し前記中心線をはさんで対称をなすよう形成した第２長孔、前記第１長孔と第２長孔とを前記案内通路から遠い端部で連通してチャンネル形溝に成形し、前記チャンネル形溝を移動可能に貫通し、ローラを回転自在に支持する支軸、前記支軸を前記案内通路に近づくよう付勢する付勢手段とより構成されるコイン払出装置である。
【００２５】
この構成において、払出体であるローラが第１長孔または第２長孔に選択的に配置される。
そしてローラが第１長孔に配置された状態において、ローラがコインにより押し上げられた場合、支軸が長孔によって中心線から離れるように案内されるので、前述のようにスプリング力の変動は小さく、ストッパに対する支軸の衝突力は小さい。
結果として、ストッパの「へたり」を生じない。
また、支軸が中心軸線から離れるように移動するので、支軸の第１長孔側壁を押す分力は小さく、ローラはスムーズに移動する。
したがって、コインの払い出しをスムーズに行うことが出来る。
さらに、ストッパの「へたり」防止のための特別な材料を使用しないので、安価である。
さらにまた、第１長孔と第２長孔とは連通され、貫通する支軸は第１長孔と第２長孔に移動自在であるので、一つのローラによりコインを選択的に左右に払い出すことができる。
【発明を実施するための最良の形態】
【００２６】
回転ディスクによってコインを一つずつ少なくともベースによって画定される案内通路に送り出し、前記案内通路により前記送り出されたコインを一列に整列して前記ベースに沿って案内し、前記案内通路の出口において前記案内通路の中心線に対し偏倚して配置し、かつ、前記案内通路に近づくように付勢された払出体によってコインを区分けして払い出すコイン送り出し装置において、前記ベースに前記中心線に対し鋭角をなす第１長孔と前記第１長孔に対し前記中心線をはさんで対称をなすよう形成した第２長孔、前記第１長孔と第２長孔とを前記案内通路から遠い端部で連通してチャンネル形溝に成形し、前記チャンネル形溝を移動可能に貫通し、ローラを回転自在に支持する支軸、前記支軸を前記案内通路に近づくよう付勢する付勢手段、前記ローラの下流のコイン通路に配置した非接触式センサとより構成されるコイン払出装置である。
【実施例】
【００２７】
図１は、本発明の実施例のコイン払出装置の正面図である。
図２は、本発明の実施例のコイン払出装置の背面図である。
図３は、本発明の実施例のコイン払出装置の左側面図である。
図４は、図１におけるＡ―Ａ線断面図である。
図５は、本発明の実施例の作用説明図である。
図６は、本発明の実施例の作用説明図である。
図７は、本発明の実施例の作用説明図である。
【００２８】
従来例と同一部には同一符号を付し、異なる構成を説明する。
本実施例は、直径の異なるコイン14が使用可能なように、スペーサ56はベース54に固定され、スペーサ58は、スペーサ56と平行にその間隔を変更できるように、横長の長孔100の範囲で位置調整可能である。
なお、スペーサ56、58が案内通路62の画定部材59である。
ベース54、画定部材59及びガイド60で囲まれた案内通路62の出口63の延長上のベース52には第１長孔102と第２長孔104が形成されている。
【００２９】
図１に示すように、第１長孔102は、最大径のコイン14に対するスペーサ58の位置に対応する案内通路62の中央に位置する中心線CLに対し、案内通路62から遠ざかる程中心線CLから遠ざかるよう傾斜する第１軸線106に沿って直状に形成されている。
第１長孔102は、後述の払出体108を中心線CLに対し斜めに案内する機能を有している。
【００３０】
第１軸線106は、中心線CLに対し約20度傾斜している。
第１長孔102の案内通路62側の端部は半円形であり、その半円の中心は、中心線CLとスペーサ56の案内縁74との中央に位置する中心線LC(説明の便のため「左中心線」という)上に位置している。
換言すれば、第１長孔102は、中心線CLに対しオフセットし、かつ、傾斜している。
また、この半円形部が後述の支軸116のストッパ110である。
【００３１】
中心線CLを中心に第１長孔102と対称に第２長孔104が形成されている。
換言すれば、第２長孔104は、中心線CLに対し約20度傾斜する第２軸線112に沿って直状に形成されている。
第2長孔104の案内通路62側の端部は半円形であり、その半円の中心は、中心線CLと最大径コイン14に対応するスペーサ58の案内縁117との中央に位置する中心線RC(説明の便のため「右中心線」という)上に位置している。
換言すれば、第２長孔104は、中心線CLに対し第１長孔102と反対側にオフセットし、かつ、傾斜している。
また、第２長孔104の案内通路62側の端部は、ストッパ115である。
【００３２】
第１長孔102と第２長孔104の案内通路62と反対側の端部は、中心線CLと第１軸線106及び第２軸線112の交点を中心とする弧状に同じ幅で形成された連通長孔113で連結されている。
これにより、第１長孔102、第２長孔104及び連通孔113はチャンネル形溝146を構成している。
払出体108の位置を容易に変更できるようにするためである。
【００３３】
図4に示すように、丸棒形の支軸116が第１長孔102を貫通している。
支軸116の中央部には、払出体108であるローラ118が回転可能に支持されている。
払出体108は、移動するコイン14の移動を制限し、かつ、弱い力で弾き出す機能を有する。
したがって、払出体108は、固定されたピンに代えることができる。
しかし、コイン14に対する摩擦抵抗を減らすため、ローラが好ましい。
ローラ118は、樹脂により一体成形されている。
この樹脂は、耐衝撃性と耐摩耗性に優れるポリアセタール樹脂が適当である。
【００３４】
ローラ118は、シリンダ状の軸受部120、軸受部120の端部から外方に突出する円盤状の底部122、底部122の中間から軸受部120を囲うようシリンダ状に突出する接触部124とを有する。
軸受部120は、支軸114に嵌合され、その左右端面を支軸114に係止したスナップリング126および128によって位置決めされ、所定の位置で支軸114に対し回転自在である。
スナップリング126と底部122との間にリング状の低摩擦体127を配置することが好ましい。
【００３５】
ローラ118をさらにスムーズに回転可能にするためである。
支軸114にローラ118をアッセンブリした払出体108の軸受部120を第１長孔102を貫通させ、接触部124の端面をベース54にあてがい、ベース54の裏面側にリング状の真鍮製リテーナ130を軸受部120に嵌合し、スナップリング128で移動を規制している。
この構造により、払出体108は第１長孔102の長手方向に移動自在である。
【００３６】
ガイド60の一部を折り曲げた第１係止部132と支軸114の一端部の第１係止溝134に第１弾性体136が掛け止めされている。
第１係止部132に相対する位置においてベース54を折り曲げた第２係止部138と支軸114の他端部の第２係止溝140とに第２弾性体142が掛け止めされている。
図4に示すように、第１弾性体136と第２弾性体142は、同一であって、かつ、ほぼ平行配置されている。
【００３７】
コイン14の払出をスムースに行うため、払出体108を可及的に並行移動させるためである。
この実施例において、これら第１弾性体136と第２弾性体142はスプリングであるが、ゴムに変更することができる。
すなわち、弾性体とは、伸長量とその弾発力がほぼ比例関係の性質を有するものの総称である。
さらに、弾性体は、払出体108が平行移動可能であれば一つでも良い。
【００３８】
第１長孔102と第２長孔104の反案内通路62側は弧状の連通路113によって連通されている。
この連通路113によって、払出体108は、第１長孔102と第２長孔104の一方へ、分解することなく容易に選択配置可能である。
スペーサ58の上方にセンサ150の第１取付長孔152が案内通路62に並行に形成されている。
スペーサ56の上方にセンサ150の第２取付長孔154が案内通路62と並行に形成されている。
【００３９】
センサ150は、払出体108によって弾かれたコイン14を検知する機能を有する。
センサ150は、出口63に位置するコイン14によって検知の影響を受けないよう払出体108によって払い出されたコイン14を検出するよう配置することが好ましい。
すなわち、払い出されたコイン14が通過する第１コイン通路166の一部に配置することが好ましい。
【００４０】
また、センサ150は、コイン14の衝突による破損や摩耗を回避するため、光電式、電磁式等の非接触式のセンサを用いることが好ましい。
本実施例におけるセンサ150は、図3に示すように下向き門型のボディ152にコイン通路の一方に投光部を配置し、他方に受光部を配置した光電式センサである。
このセンサ150の出力は、払い出されたコイン14のカウントに用いられる。
【００４１】
次に本実施例の作用を説明する。
最初に図5に示す、払出体108が第１長孔102に配置されているケースを説明する。
案内通路62を案内されるコイン14は、まず、払出体108であるローラ118の接触部124に接触し、第１弾性体136、第２弾性体142の付勢力に反して案内通路62から離れるよう移動される。
【００４２】
すなわち、支軸114(軸受部120)が第１長孔102に案内され、案内通路62から遠ざかるにつれて中心線CLから離れるよう直線的に移動する。
コイン14が接触部124に接触した場合、コイン14の接触点P1から力F4で押される。
この力F4の方向は、コイン14の中心CCと接点P1を通る直線L1上にほぼ位置するので、第１長孔102の伸長方向とほぼ一致する。
したがって、軸受部120が第１長孔102の側壁を押す分力はほとんど発生しない。
【００４３】
第１弾性体136及び第２弾性体142の付勢力により、軸受部120が第１長孔102の外側縁160への分力を受けるが、第１弾性体136及び第２弾性体142の力の方向は、中心線CLとの交差角が極めて小さいのでその分力は小さい。
換言すれば、支軸114が第１長孔102内を移動する場合、その移動抵抗は小さい。
また、ローラ118はコイン14の中心CCよりも図5において左側に接するので、コイン14はスペーサ58のエッジ部162とローラ118との間に挟まれ、右方向へ誘導される。
【００４４】
図5に一点鎖線で示すように、コイン14が払出体108によって弾き出される直前の場合、払出体108には接点P2を介して力F5が作用する。
この力F5は、スペーサ58のエッヂ162とコイン14のセンタCCを通る直線L2上に位置し、第１長孔102の軸線106に対し傾斜する。
したがって、側壁160にはこの力F5の分力F6及び第１弾性体136、第２弾性体142の付勢力の分力が作用する。
すなわち、払出体108が案内通路62から遠ざかるにしたがって外側縁160への分力が大きくなる。
【００４５】
従来装置において、コイン14は払出体に接触した当初から側壁に対し分力が作用するため、払出体の移動がスムーズではない。
しかし、本実施例において、コイン14が払出体108に最初に接したとき、分力はほとんど生じない。
したがって、払出体108の移動はスムースである。
また、払出体108はコイン14に対し図5において横方向及び伸長方向に移動する。
特に、第１長孔102は中心線CLに対し傾斜しているので、横方向の移動量が大きい。
したがって、第１弾性体136及び第２弾性体142の伸長量が従来に比し少ない。
【００４６】
すなわち、図5に従来の第１案内長孔66とローラ78の位置を鎖線で表示したように、払出体108は本実施例よりも案内通路62から遠い位置まで移動される。
換言すれば、本実施例において、ローラ118の移動量が小さいので、第１弾性体136、第２弾性体142の弾発力を小さくすることができる。
したがって、軸受部120がストッパ110にストップされる際の衝撃力は小さいので、ストッパ110の「へたり」を防止できる。
また、本実施例において、軸受部120が樹脂であるので、一般に金属で作られるベース54よりも硬度が低く、弾性体の機能を持っている。
【００４７】
したがって、この弾性機能により、前記衝撃が緩和され、さらにストッパ110の「へたり」を防止できる。
また、弾発力が小さいので、コイン14の払出体108によって弾かれた際の速度は比較的低速である。
よって、コイン14がセンサ150によって検知される時間幅が大になるので、コイン14の検知ミスを生じない。
【００４８】
コイン14の中心CCが、エッジ162と接点Pとを結んだ線L2を超えた場合、第１弾性体136と第２弾性体142の弾発力によって右側の第１出口164に弾き出される。
弾き出されたコイン14は、第１払出通路166を通って所定の機器に払い出される。
コイン14は、第１払出通路166を通過する途上、第１センサ150の投光部から受光部への光軸を切る。
これにより、第１センサ150はコインの検知信号を出力する。
【００４９】
したがって、払出体108とセンサ150との機能が分離されているので、払出体108が第１弾性体136と第２弾性体142とにより復帰動された際に、コイン14に衝突する場合であっても、センサ150はコイン14の通過の検知が可能である。
よって、第２回転ディスク20から払出体108までのコイン14の経路長を調整する必要がない。
【００５０】
次に払出体108を第２長孔104に配置した場合を図6を参照して説明する。
この例は、最大直径のコイン14を払い出す場合である。
原則的に前述の第１長孔102に配置した場合と同様に作用する。
すなわち、コイン14は、中心線CLよりも図6において右側の接点P3において払出体108と接するので、コイン14は左方に案内され、第２払出口168から弾き出され、第２通路170を通って払い出される。
第２通路170を通過するコイン14は、センサ150によって検知される。
【００５１】
次に小径コイン用にスペーサ58の位置を調整した例を図7を参照して説明する。
小径コイン14が払出体108に接触した場合、その接点P4はコイン14の中心CCのより側方に位置する。
したがって、第１弾性体136および第２弾性体142の伸長量は可及的に小さい。
よって、コイン14に対する付勢力はより小さく、かつ、その付勢力の変動も小さい。
したがって、小さい弾発力で弾き出すので、ストッパの「へたり」を防止できる。
【００５２】
すなわち、最小コインに対応する位置のスペーサ58の案内縁117と中心線ＣＬとの第１右中心線RC1上にローラー118が位置する場合(図7鎖線示)、及び、最大コインに対応する位置のスペーサ58の案内縁117と中心線CLとの第２右中心線RC2に払出体108が位置した場合(図7実線示)を比較すると、後者の方が払出体108の位置は案内通路62に近い。
換言すれば、弾発力を小さく設定できると共に弾発力の変動も小さい。
したがって、軸受部120がストッパ115に衝突する際の衝撃力はより小さいので、ストッパ115のへたりを防止でき、かつ、コイン14の検知ミスを防止できる効果がある。
【図面の簡単な説明】
【００５３】
【図１】図１は、本発明の実施例のコイン払出装置の正面図である。
【図２】図２は、本発明の実施例のコイン払出装置の背面図である。
【図３】図３は、本発明の実施例のコイン払出装置の左側面図である。
【図４】図４は、図１におけるＡ―Ａ線断面図である。
【図５】図５は、本発明の実施例の作用説明図である。
【図６】図６は、本発明の実施例の作用説明図である。
【図７】図７は、本発明の実施例の作用説明図である。
【図８】図８は、従来の払出装置を備えたコイン送り出し装置の一部分解斜視図である。
【図９】図９は、従来の送り出し装置の平面図である。
【図１０】図１０は、従来の払出装置の作用説明図である。
【符号の説明】
【００５４】
CL、LC、RC  中心線
10  コイン送り出し装置
14  コイン
18  回転ディスク
54  ベース
58、60  画定部材
62  案内通路
63  出口
102、104  長孔
106、112  軸線
108  払出体
110、115  端部
114  支軸
118  ローラ
136、142  弾性体
146  チャンネル形溝
150  センサ
166、170  コイン通路
【図１】
2005190213.tif 000003
【図２】
2005190213.tif 000004
【図３】
2005190213.tif 000005
【図４】
2005190213.tif 000006
【図５】
2005190213.tif 000007
【図６】
2005190213.tif 000008
【図７】
2005190213.tif 000009
【図８】
2005190213.tif 000010
【図９】
2005190213.tif 000011
【図１０】
2005190213.tif 000012